(57)【要約】【課題】片手操作にて衣類への着脱のできる開閉型のハンガーを提供する。【解決手段】フック部を有する上部開閉体の下方に下部開閉体を軸支し、一方、スリットを有する一対のアームを対称形に設けるとともに該スリットの重なる個所にスライド軸を設け、アーム上部を互いに軸支し、以上の一対のアームを下部開閉体に各々軸支することにより、下部開閉体の上部の押圧にてアームの相互移動を可能とするよう構成したことを特徴とする。【選択図】図５
2007275529.tif 000002
【特許請求の範囲】
【請求項１】
フック部を有する上部開閉体の下方に下部開閉体を軸支し、一方、スリットを有する一対のアームを対称形に設けるとともに該スリットの重なる個所にスライド軸を設け、アーム上部を互いに軸支し、以上の一対のアームを下部開閉体に各々軸支することにより、下部開閉体の上部の押圧にてアームの相互移動を可能とするよう構成したことを特徴とする開閉型ハンガー。
【発明の詳細な説明】
【技術分野】
【０００１】  この発明は、衣服への着脱容易なる開閉型のハンガーに関する。
【背景技術】
【０００２】  従来より、多種類のハンガーが多用されているが、本発明にて示すような開閉型のハンガーは見当たらない。
【発明の開示】
【発明が解決しようとする課題】
【０００３】  ハンガーは衣服の保管時や洗濯後に干すときに多用されている。衣服にも種々の形状があるが、Ｔシャツなどを干すときには従来のハンガーでは不便さを有している。
すなわち、スーツやＹシャツのように前開き部分がないため、首の開口部よりハンガーの一方の下端を斜めに差し込み、首部分を押し広げて他方の下端を入れなければならず、その作業が煩わしく、またシャツ素材を伸ばすこととなるので好ましくない。他の方法としてはＴシャツの下方からハンガーを入れて首部分からフック部分を突出させることもあり得るが、この作業は難儀である。
本発明は以上のような従来からのハンガーに関わる課題を解決するために発明されたもので、片手の操作にてＴシャツ等に容易に着脱できる新規なハンガーを提供することを目的としたものである。
【課題を解決するための手段】
【０００４】  課題を解決する手段として本発明は、開閉可能なる開閉体下方に、スリットを有するアームを対称形に軸支してその主要部を構成した。
すなわち、フック部を有する上部開閉体の下方に下部開閉体を軸支し、一方、スリットを有する一対のアームを対称形に設けるとともに該スリットの重なる個所にスライド軸を設け、アーム上部を互いに軸支し、以上の一対のアームを下部開閉体に各々軸支することにより、下部開閉体の上部の押圧にてアームの相互移動を可能とするよう構成する。
本発明は以上の構成よりなる開閉型ハンガーである。
【発明の効果】
【０００５】  本発明によれば、下部開閉体を押圧することにてアームの位置変化を生じ、アーム先端間距離を小さくすることが可能なため、Ｔシャツなどの首部から本品をそのまま挿入でき、押圧を解除することにて一般のハンガーと同様形状に自動復帰するため、衣類へのハンガーの着脱が容易となる有用なる物品を提供することができる。
【発明を実施するための最良の形態】
【０００６】  以下、本発明の実施形態について説明する。
図において、１は合成樹脂製の上部開閉体で、２本一組の中空棒体にて形成される。
この一組の棒体のうち一方は短く他方はやや長く上方に延びて湾曲し、フック部２を有している。またこれらの棒体適所はやや内方に張り出して互いに重ね合わされ、重なり合う中央の貫通孔に上部開閉体支軸３が挿通している。４は下部開閉体で、その下部側面にスリット１５を有する湾曲した２本の中空棒体を有し、これらの棒体の中央部は内側に張り出すとともに重なり合い、前述の上部開閉体と同様に下部開閉体支軸５にて開閉可能に軸支される。この下部開閉体の互いに向かい合う方向は開放されており、下部開閉体支軸５にはねじりコイルバネ６が備えられる。すなわち、この支軸に鋼線が複数回巻き付き、その一方の端部は上方へ斜方に延びて一方の中空棒体内面に接し、他方の端部も同様に他方の中空棒体内面に接している。
上部開閉体の厚さ（内面間距離）は下部開閉体の厚さよりやや小で、これらの開閉体の端部近傍には各々貫通孔が穿設され、下部開閉体の上端内に上部開閉体の下端が各々貫通孔を一致させて位置し、上部軸７にて軸支される。以上の構成から、互いの開閉体が接する軸支部分を押圧することにて下部開閉体の下部の開閉が可能である。
８および９は合成樹脂板による一対のアームである。このアームは正面視略Ｌ形で、その下方にはスリット１０および１１が形成され、上端は少し内方へ張り出すとともに貫通孔が穿設される。また、上方へ延びる部分適所にも貫通孔が穿設され、下部開閉体下方の孔と一致させて下部軸１２が挿通している。この一対のアームは対称形に重ね合わされて位置し、その上部の貫通孔は一致してアーム支軸１３が挿通し、スリットの重なる部分にはスライド軸１４が位置する。
以上の構成から、下部開閉体の上部を握って押圧することにより、図２の状態から図４の状態へと変化させることができる。【０００７】  本発明を使用するにはまず、下部開閉体の上部を握って押圧する。この押圧にて下部開閉体はねじりコイルバネの押圧に逆らって下部開閉体支軸を中心として回動し、その上部間距離は接近し、下部間距離は大きくなる。このとき、下部開閉体上部に軸支されている上部開閉体下部も上部開閉体支軸を中心に回動して同じく互いに接近する。
また、下部開閉体下部の下部軸にて各アームが軸支されているので、アームはアーム支軸を中心として回動し、アームの傾斜角は増大する。このとき各スリットの重なる部分にはスライド軸が位置し、アームの傾斜が増大するにつれてスリット内を下降し、スリット下端に接して静止する。この状態が図４に示す状態であり、アーム端間距離は小となるのでこのままＴシャツ等の首部から挿入することができる。挿入後に押圧を解除すると、ねじりコイルバネの復帰力にて下部開閉体その他の部位は元の位置へと復帰して図５の状態となり、フック部を物干し竿やロープ等に引っ掛けて乾燥や保管をすることができる。
なお、ねじりコイルバネは下部開閉体の上部内面間距離を常に広げる方向に作用しているが、双方の重なり合うスリット位置にスライド軸が位置するので、このスリット端がスライド軸に押圧接触することにより、アームの初期位置・角度が定められる。
以上、本発明について記したが、従来品と異なって本発明は片手操作による押圧にてアーム端間距離を可変とし、衣類の首部から挿入して押圧解除することにより、従来のハンガー形状に復帰するため作業性に富んだハンガーを得ることができるところにその特徴がある。従って、本発明品はＴシャツ、ポロシャツ、ワイシャツ、スーツなど種々の衣類に用いても大いなる利便性を発揮することができる。
なお、本品に用いる各軸および支軸は容易に抜け落ちないよう適宜に段部を設け、あるいはビスとナットを用いるなどの配慮が望ましい。また、下部開閉体の下部側面にはスリットが設けられているので、アーム回動によるアームの下部開閉体への衝突を防ぐことができる。なお、既述の例は実施の一例であり、近似の他の形状・構造としてもよい。
以上のごとく、本発明によって利便性に富む新規かつ有用なる物品を得ることができる。
【図面の簡単な説明】
【０００８】
【図１】本発明の平面図
【図２】本発明の正面図
【図３】本発明の右側面図
【図４】本発明の正面図（下部開閉体押圧時）
【図５】本発明の使用説明図
【符号の説明】
【０００９】１    上部開閉体
２    フック部
３    上部開閉体支軸
４    下部開閉体
５    下部開閉体支軸
６    ねじりコイルバネ
７    上部軸
８    アーム
９    アーム
１０  スリット
１１  スリット
１２  下部軸
１３  アーム支軸
１４  スライド軸
１５  スリット
【図１】
2007275529.tif 000003
【図２】
2007275529.tif 000004
【図３】
2007275529.tif 000005
【図４】
2007275529.tif 000006
【図５】
2007275529.tif 000007